(57)【要約】【課題】携帯に便利で簡単に着脱でき、体裁のよい靴の保護カバーを提供する。【解決手段】簡単な構造の１枚のシート材からなる靴カバーで、靴カバー１の帯状部下側縁に設けられた粘着部２ｃを靴の靴底片の外周縁９ｂに沿って粘着固定し、左右の舌片５は対向して靴９の上甲皮に密着するように互いに重ね、粘着部２ｂによって固定する。さらに、中央の舌片４は左右の舌片の重合部を覆い被せ、粘着部２ａによって粘着固定することで靴体を覆い、靴を雨や汚れから保護する靴カバー形成する。【選択図】  図１
2006122535.tif 000002
【特許請求の範囲】
【請求項１】
防水性および柔軟性を有するシート状体からなり、靴底に沿って少なくとも靴の爪先から左右の側面を覆う長さの帯状部と、この帯状部の上側縁から延出する複数の甲覆い用舌片とを有し、前記帯状部は靴体に止着するための粘着部を下側縁に設け、前記甲覆い用舌片は左右の舌片および中央の舌片に分かれ、各舌片には夫々重ねて係止するための粘着部を所要箇所に持つことを特徴とする靴カバー。
【請求項２】
前記帯状部が靴底に沿って靴の周囲を囲繞する長さで、該両端を重ねて係止するための粘着部を設けたことを特徴とする請求項１に記載の靴カバー。
【請求項３】
靴への止着手段が前記帯状部下側縁に設けた粘着部により、靴の靴底片にのみ粘着固定されることを特徴とする請求項１または２に記載の靴カバー。
【発明の詳細な説明】
【技術分野】
【０００１】
本発明は雨天の外出時や汚れた場所における作業時に靴が濡れたり、汚れたりしないように保護する靴の保護カバーに関するものである。
【背景技術】
【０００２】
一般的な靴において靴底には防水性を有するものは多いが、甲被部は一部の運動靴、軽登山靴等を除けば防水性を持たないものが多い。そのため雨天の際の外出時や汚れた場所での作業時に靴の甲被部が雨水や泥はね等により濡れたり汚れたりすることがあった。
そこで従来、降雨、降雪時や汚れた場所での作業には短靴に代えてゴム長靴が用いられていた。また、予期しない雨に遭遇したとき、靴を濡らさないための応急の措置として、ビニール袋等を靴に被せテープや紐、又は輪ゴムで止めたりしていた。
【発明の開示】
【発明が解決しようとする課題】
【０００３】
しかしながら、ゴム長靴は通気性や放熱性が良くないため、長時間の使用は敬遠され、また時と場所によっては体裁が悪いため、目的地に到着したときや、作業が終了したとき、または天候が回復したときなど長靴から短靴に履き替えたい場面がある。その場合、短靴を携行するかその場に備えておく必要があり、さらに履き替えたあとの長靴は携行するか、保管場所を要していた。しかし、長靴は総じて重く嵩張るので携行には適しておらず、また常に保管場所が確保できるわけでもない。
そのため、一時的な汚れ作業や少々の降雨があっても長靴の使用は敬遠され、短靴を履き続けることで、結果的に短靴が濡れたり、汚れたりする問題があった。
また、出かけるときには、晴天であったが、外出先で突然雨が降るというようなときの応急の措置として、ビニール袋等を靴に被せる場合、着脱に手間がかかり、体裁も悪く、滑りやすく歩行動作にも支障をきたすものであった。
【課題を解決するための手段】
【０００４】
本発明は靴が濡れたり、汚れたりしないように保護するための靴カバーを提供するものであって、その特徴とするところは、防水性および柔軟性を有するシート状体からなり、靴底に沿って少なくとも靴の爪先から左右の側面を覆う長さの帯状部と、この帯状部の上側縁から延出する複数の甲覆い用舌片とを有し、前記帯状部は靴体に止着するための粘着部を下側縁に設け、前記甲覆い用舌片は左右の舌片および中央の舌片に分かれ、各舌片には夫々重ねて係止するための粘着部を所要箇所に持つことにある。
かかる構成により、本発明に係る靴カバーは着脱が容易で、携帯にも便利であり、徒歩や自転車での外出時や汚れた場所での作業時に靴が濡れたり、汚れたりするのを防止できるうえ、靴体に密着するため目立たず体裁も良い。また、カバー装着時も靴底は露出するため、靴底の持つ滑り止め機能を損なうこともない。さらに、通気性・放熱性を妨げず、歩行の振動によって位置ずれや脱落を起こしたりすることもない。加えて構造が簡単でコスト面で有利であるという利点を有している。
【０００５】
前記靴カバーにおいて、帯状部を靴底に沿って靴の周囲を囲繞する長さにするとともに、該両端部を重ねて係止するための粘着部を設けることができる。かかる構成の靴カバーは、靴底面以外の靴体の略全面を覆うことにより、靴が濡れたり、汚れたりすることを確実に防止できる。
【０００６】
前記靴カバーにおいて、靴への止着手段が帯状部下側縁の粘着部により、靴の靴底片にのみ粘着固定されるものでは、靴の甲被部を粘着剤によって傷めるおそれがない。
【発明の効果】
【０００７】
上記のように本発明に係る靴カバーは、帯状部が靴の周囲を覆い、舌片部により靴の上甲皮を覆うものであり、靴を履いて靴底を地面や床に着けた状態でも簡単に装着、取り外しができる。靴カバーは靴の靴底片の周縁部に密着して装着されるため、下方からの雨水や泥の浸入を防ぐとともに、歩行時にずれることがなく、運動性もよい。また、各甲覆い用舌片により、汚れたり、濡れたりしやすい靴の爪先部から上甲皮を保護するとともに、帯状部によって靴の側面部から後部にかけて保護することができる。
さらに本発明の靴カバーは靴体に密着して装着されているため、装着した時の体裁を損なうことがない。また、靴の履き口は開放されているため通気性・放熱性を妨げることもない。靴カバー装着時、靴底面は露出しており靴底面が有する滑り止め機能を損なわず安全である。本発明の靴カバーは１枚の平面状シートで構成される簡易な構造であり、保管に場所を取らず、携帯も容易であり、靴のサイズに合わせて多数種のものを用意する必要もないため、製造コストも低く抑えることができる。従って、本発明の靴カバーは使い捨てとして使用することが可能である。
【発明を実施するための最良の形態】
【０００８】
以下、本発明になる靴カバーについて、図面に示す具体的な実施例に基づいて説明する。図１〜図８は本発明の第１実施形態であり、この発明において、最も好ましい実施例になる、５つの甲覆い用舌片を持ち、且つ靴の周囲を囲繞する長さを有し、さらに靴への止着手段が帯状部下側縁の粘着部により、靴の靴底片にのみ粘着固定されることを特徴とする靴カバーの具体例を示すものである。また図９〜図１１は第２実施形態となる、３つの甲覆い用舌片を有し、且つ靴の周囲を囲繞しない靴カバーを示すものである。
【０００９】
本発明になる靴カバー１は、裏面の所要箇所に粘着剤層を備えた平面状のシート材で形成されており、素材としては天然又は合成の樹脂、撥水加工を施した紙、不織布などの単体シートや積層シートを適宜用いることができ、合成樹脂としては、ポリ塩化ビニル樹脂（ＰＶＣ）や、ポリエチレン樹脂（ＰＥ）その他のオレフィン系合成樹脂、生分解性プラスチック（ＢＤＰ）などを利用しても良い。
【００１０】
図１に示すように、本発明の靴カバー１は横に伸びる帯状部３と、この帯状部３の上側縁から延出する５つの甲覆い用舌片４、５ａ、５ｂとを有している。このとき舌片５ａ、５ｂの間の切れ込みＲ２の位置は図８(b)に示す靴の屈曲部Ｘに相当する位置に設けられる。
【００１１】
また図１に示すように、帯状部３の下側縁には靴体に止着するための粘着部２ｃを設け、一方の端部には靴の後部で帯状部両端を重ねて係止するための粘着部２ｄを設けてある。中央の舌片４の左右に並ぶそれぞれ２組の舌片５ａ、５ｂはどちらか一方の組に粘着部２ｂを設けてある。また、中央の舌片４の両側にも粘着部２ａを設けてある。
【００１２】
中央の舌片４は、図５における左右の舌片５ａ、５ｂの重合部をすべて覆いうる形状を持つ。中央の舌片４の両側に切れ込みＲ３を設ける場合、切れ込みＲ２と同様に図８(b)に示す靴の屈曲部Ｘに相当する位置に設けられる。ただし、粘着部２ａの領域は狭くなるが図７のように、切れ込みＲ３のない形状でも良い。さらに各舌片はその機能を失わない限り任意の外形形状であって構わない。  
【００１３】
図１に示されるように中央の舌片４と左右の舌片５ａの間の切れ込み部Ｒ１において中央の舌片４寄りから山折線ｍが、左右の舌片５ａ寄りから谷折線ｎがそれぞれ点Ｐに収束するように形成される。尚、２箇所の点Ｐは靴カバー１の装着時、帯状部の爪先に相当する部位に靴の爪先形状に合わせて左右それぞれ適宜設定されるものとする。
【００１４】
また、図１では帯状部の下側縁は靴底片のカーブに合わせた曲線となっているが、第２実施形態に示す図９のように直線状でもよい。その場合、切れ目７を設け、図１１のように靴底面に巻き込む形で粘着してもよい。
【００１５】
図２（a）に示すように、靴カバー１の裏面１ｂに設けた粘着部２（２ｂ、２ｃ）の外表面に剥離ライナ８を設けておき、当該靴カバー１の使用時に剥離ライナ８を剥がすようなものとして供される。靴カバー１は左右の靴の区別なくどちらにも使える同一形状であり、また靴カバー１自体も対称形であるため、２枚重ねや図３（ｂ）のように２つ折りといった提供方法も考えられる。その場合、靴カバー１の表面１ａ、裏面１ｂの所要箇所に離型機能をもたせることで、剥離ライナ８の一部または全部を省略したものであっても良い。
【００１６】
図２（ｂ）に示すように、靴カバー１の帯状部３の下側縁に設けられた粘着部２ｃを靴の靴底片の外周縁９ｂに沿って粘着固定する。このとき図４のように中央の甲覆い用舌片４が爪先部から上甲皮を覆いうる位置に合わせる。その後、帯状部左右を靴底片の外周縁９ｂに沿って順次密着固定していく。帯状部の両端は靴の後部で互いに重なるように粘着部２ｄによって密着固定される。
【００１７】
図３（a）は靴カバー１が１枚のシート材から打ち抜きによって形成される場合の配列の基本単位の一例を示す概略的な平面図であり、効率的な配置が可能であることを示す。また図３（ｂ）に示すように２つ折にすることで嵩張らず、鞄などに入れて携行しやすくすることもできる。
【００１８】
図４および図５に示すように、左右のそれぞれ２つの舌片５ａ、５ｂは対向して靴９の上甲皮に密着するように互いに重ねられ、粘着部２ｂによって固定され靴体を覆うように構成される。
【００１９】
図５、および図６に示すように、中央の舌片４は左右の舌片５ａ、５ｂの重合部を覆い被せるように粘着部２ａによって固定される。これにより左右の舌片の重合部の隙間からの雨水や泥土等の浸入を防止する。また、このとき山折線ｍと谷折線ｎによって内側への折り込み部を形成することで、切れ込み部Ｒ１からの雨水等の浸入を防ぐ。
【００２０】
図８(a)、図８(b)は歩行時の蹴り上げ動作に伴う靴９の変形に対し、靴カバー１の追従性の高さを示している。靴底片の変形に対しては靴カバー１の帯状部下側縁に設けた粘着部２ｃが靴底片の外周縁９ｂに沿って粘着されているため、下方からの水や汚れの浸入を防止しつつ柔軟に変形する。
また、屈曲部Ｘに相当する位置に設けた切れ込みＲ２、Ｒ３が変形に伴う引張力を低減することにより、靴カバー１の甲覆部の変形を最小限に抑えている。
【００２１】
図９〜図１１は本発明の第２実施形態となる、３つの甲覆い用舌片を有すとともに、靴の周囲を囲繞しない靴カバーを示すものである。靴の周囲を囲繞しないので汚れやすい爪先から側面部のみを重点的に保護する構成である。また甲覆い用舌片が３つなので、第１実施形態に比べると靴に対する追従性が劣るが、歩行動作の少ない活動、例えばサイクリングなどでの一時的な利用であれば、このような形態であってもよい。
【００２２】
上記のように靴カバー１は柔軟性を有するシート状体で形成されており、靴９の外面に密着して装着されるものであり、靴カバー１で靴９のスタイルが損なわれることがなくなるものである。靴カバー１を透明に形成したり、靴９の色に合わせて、例えば黒や茶系色に形成したりすれば、靴９に装着した靴カバー１を目立たない外観にすることが可能であり、逆に靴カバー１に各種の模様や色、文字、記号などを付するとファッション的な応用やコマーシャル的な応用もできるものである。また子供用であれば赤や黄色など注意を喚起する色に形成しても良い。
【００２３】
そして、靴カバー１は靴９の形状やサイズによって粘着位置を自由に調節できるので、靴９のサイズに合わせた多くのサイズの靴カバー１を準備する必要がないのである。例えば紳士用、婦人用、子供用などにいくつかのサイズがあれば済むのである。このように本発明の靴カバー１はひとつの大きさで複数種の靴９のサイズに対応することができる。また左右の靴９に対して、靴カバー１は左右同形状であるため、左右の互換性が得られ装着時に迷うこともない。
【図面の簡単な説明】
【００２４】
【図１】本発明の第１実施形態を示す平面図である。
【図２】図２（a）は図１におけるＡ−Ａ線に沿って断面にして示すＡ−Ａ線断面図である。図２（ｂ）は靴と本発明になる靴カバーを粘着固定する際の位置関係を示す断面図である。
【図３】図３（a）は本発明の靴カバーがシート材から打ち抜きによって得られる場合の実施例を示す概略的な平面図であり、図３（ｂ）は靴カバー１が２つ折で提供される場合の平面図である。
【図４】本発明になる靴カバーを靴に装着する手順を示す説明図である。
【図５】本発明になる靴カバーを靴に装着する手順を示す説明図であり、踵方向からの斜視図である。
【図６】本発明になる靴カバーを靴に装着した状態を示す説明図である。
【図７】本発明の第１実施形態における、中央の舌片の変形例を示す平面図である。
【図８】本発明になる靴カバーの歩行時の動作を説明する概略的な側面図であり、(a)は着地時、(b)は蹴り上げ動作時である。
【図９】本発明の第２実施形態を示す平面図である。
【図１０】本発明の第２実施形態になる靴カバーを靴に装着した状態を示す説明図である。
【図１１】本発明の第２実施形態であり、図１０におけるＢ−Ｂ線に沿って断面にして示すＢ−Ｂ線断面図である。
【符号の説明】
【００２５】
１  靴カバー
１ａ  靴カバー表面
１ｂ  靴カバー裏面
２  粘着部
２ａ  中央舌片粘着部
２ｂ  舌片粘着部
２ｃ  帯状部下側縁の粘着部
２ｄ  帯状部端の粘着部
３  帯状部
４  中央の甲覆い用舌片
５、５ａ、５ｂ  左右の甲覆い用舌片
７  切れ目
８  剥離ライナ
９  靴
９a  靴底
９ｂ  靴底片の外周縁
Ｒ、Ｒ１、Ｒ２、Ｒ３、Ｒ４  切れ込み
Ｘ  靴の屈曲部
ｍ  山折線
ｎ  谷折線
ｐ  山折線、谷折線の収束点
【図１】
2006122535.tif 000003
【図２】
2006122535.tif 000004
【図３】
2006122535.tif 000005
【図４】
2006122535.tif 000006
【図５】
2006122535.tif 000007
【図６】
2006122535.tif 000008
【図７】
2006122535.tif 000009
【図８】
2006122535.tif 000010
【図９】
2006122535.tif 000011
【図１０】
2006122535.tif 000012
【図１１】
2006122535.tif 000013